(57)【要約】【課題】ベッドの頭側を効率良く脱臭・除菌でき、就寝者にとって快適な環境を作り出せるベッドを提供する。【解決手段】放電電極７に高電圧を印加することで放電電極７に保持される液体を静電霧化してイオンミストを噴霧する静電霧化装置６を備える。静電霧化装置６をベッド１の頭側の端部に配設する。【選択図】図１
2008237606.tif 000002
【特許請求の範囲】
【請求項１】
放電電極に高電圧を印加することで該放電電極に保持される液体を静電霧化してイオンミストを噴霧する静電霧化装置を備え、該静電霧化装置をベッドの頭側の端部に配設して成ることを特徴とするベッド。
【請求項２】
ベッド上の人の有無を検知する人体検知手段を設け、該人体検知手段の検知結果に基づいて静電霧化装置の動作を制御する制御手段を備えて成ることを特徴とする請求項１に記載のベッド。
【請求項３】
人体検知手段によりベッド上から人が居なくなったことを検知した場合に静電霧化装置によるイオンミストの噴霧を開始すると共に該噴霧の開始から所定時間後にイオンミストの噴霧を停止する制御手段を備えて成ることを特徴とする請求項２に記載のベッド。
【請求項４】
静電霧化装置の放電電極に鎮静作用を有する液体を供給するための鎮静用液体供給手段を備え、放電電極で前記鎮静作用を有する液体を基にイオンミストを生成可能とすることを特徴とする請求項１に記載のベッド。
【請求項５】
ベッド上の人の心拍を検知するための心拍検知手段と、該心拍検知手段で検知した心拍に基づいて静電霧化装置の動作を制御する制御手段を備えて成ることを特徴とする請求項４に記載のベッド。
【請求項６】
静電霧化装置の放電電極に覚醒作用を有する液体を供給するための覚醒用液体供給手段を備え、前記覚醒作用を有する液体を基に放電電極でイオンミストを生成可能とし、予め設定された所定時刻に静電霧化装置により前記覚醒作用を有する液体を基に生成されたイオンミストの噴霧を開始する制御手段を備えて成ることを特徴とする請求項１に記載のベッド。
【請求項７】
前記静電霧化装置で生じたイオンミストをベッドの頭側とは反対の脚側とこれよりも上向きの二方向に向けて噴霧可能として成ることを請求項１に記載のベッド。
【発明の詳細な説明】
【技術分野】
【０００１】
本発明は寝具の脱臭や除菌を行えるベッドに関する。
【背景技術】
【０００２】
例えば特許文献１に示すベッドは、ベッド上の脱臭や除菌を行うにあたって、送風機によりベッドの頭側の端部からベッド上方の空気を取り込み、この空気の経路に配置したオゾン発生器により脱臭・除菌を行い、この後、ベッドの脚側端部からベッド上方に送り出すものである。
【０００３】
しかし上記ベッドはベッド上から取り込んだ空気を脱臭・除菌するものであり、ベッド上のマットレスや布団、枕等の寝具に付いた臭いや、花粉、ノミやダニの屍骸等のアレルゲン、カビや一般生菌などを直接除去するものではなく、寝具を効率良く脱臭、除菌できない。またベッドの頭側とは反対の脚側の端部からベッドの上方にオゾンを送り出すことができるが、就寝者の顔に近い位置にあるベッドの頭側を効率良く脱臭・除菌することができず、就寝者にとっては真に快適な環境とはならない。またこの場合はオゾンにより就寝者の健康を害する恐れもある。
【特許文献１】特開２００１−１７２７３号公報
【特許文献２】特開２００４−３２１４０６号公報
【発明の開示】
【発明が解決しようとする課題】
【０００４】
本発明は上記従来の問題点に鑑みて発明したものであって、ベッドの頭側を効率良く脱臭・除菌でき、就寝者にとって快適な環境を作り出せるベッドを提供することを課題とする。
【課題を解決するための手段】
【０００５】
上記課題を解決するために本発明に係るベッドは、放電電極７に高電圧を印加することで該放電電極７に保持される液体を静電霧化してイオンミストを噴霧する静電霧化装置６を備え、該静電霧化装置６をベッド１の頭側の端部に配設して成ることを特徴とする。このように静電霧化装置６をベッド１の頭側の端部に配設することで、脱臭・除菌効果があり且つ粒径がナノメータサイズと小さく且つ帯電したイオンミストをベッド１の頭側に置かれた枕等の寝具に送って直接当て、就寝者の頭部が配置されるベッド１の頭側部分の脱臭及び除菌を効率良く行える。
【０００６】
またベッド１上の人の有無を検知する人体検知手段２３を設け、該人体検知手段２３の検知結果に基づいて静電霧化装置６の動作を制御する制御手段を備えることも好ましい。ベッド１上の人の有無に対応して静電霧化装置６を動作させることが可能となる。
【０００７】
また人体検知手段２３によりベッド１上から人が居なくなったことを検知した場合に静電霧化装置６によるイオンミストの噴霧を開始すると共に該噴霧の開始から所定時間後にイオンミストの噴霧を停止する制御手段を備えることも好ましい。静電霧化装置６で発生させたイオンミストにより就寝直後の臭いや菌の付いたベッド１を効率良く脱臭・除菌できる。
【０００８】
また静電霧化装置６の放電電極７に鎮静作用を有する液体を供給するための鎮静用液体供給手段を備え、放電電極７で前記鎮静作用を有する液体を基にイオンミストを生成可能とすることも好ましい。鎮静作用を有する液体をベッド１上に噴霧でき、ベッド１上の人が快眠できる。
【０００９】
またベッド１上の人の心拍を検知するための心拍検知手段２６と、該心拍検知手段２６で検知した心拍に基づいて静電霧化装置６の動作を制御する制御手段を備えることも好ましい。前記鎮静作用を有する液体を噴霧する静電霧化装置６を就寝者の心拍に応じて動作させることができ、例えば就寝者が興奮状態にあり心拍数が多い時に鎮静作用を有する液体を噴霧し、就寝者を寝付きやすくするといった利用が可能となる。
【００１０】
また静電霧化装置６の放電電極７に覚醒作用を有する液体を供給するための覚醒用液体供給手段を備え、前記覚醒作用を有する液体を基に放電電極７でイオンミストを生成可能とし、予め設定された所定時刻に静電霧化装置６により前記覚醒作用を有する液体を基に生成されたイオンミストの噴霧を開始する制御手段を備えることも好ましい。覚醒作用を有するイオンミストを所定時刻に噴霧し、就寝者をすっきりと目覚めさせることができる。
【００１１】
また前記静電霧化装置６で生じたイオンミストをベッド１の頭側とは反対の脚側とこれよりも上向きの二方向に向けて噴霧可能とすることも好ましい。例えばベッド１上に人が居ない時にはベッド１上に向けてイオンミストを噴霧して脱臭・除菌を行い、またベッド１上に人が居ない時にはベッド１の上方空間にイオンミストを噴霧するといった利用ができ、効率良く脱臭・除菌を行うことができる。
【発明の効果】
【００１２】
本発明では、脱臭・除菌効果があり且つ粒径がナノメータサイズと小さく且つ帯電したイオンミストをベッドの頭側に置かれた枕等の寝具に送って直接当て、就寝者の頭部が配置されるベッドの頭側部分の脱臭及び除菌を効率良く行い、ベッド上を就寝者にとって快適な環境とすることができる。
【発明を実施するための最良の形態】
【００１３】
以下、本発明を添付図面に示す実施形態に基づいて説明する。図１は本実施形態の一例のベッド１であり、ベッド本体２とマットレス３を備えている。ベッド本体２は平面視長方形状で寝具となるマットレス３を載置するための台部４で主体を構成してあり、長手方向の一端側を頭側、他端側を脚側としている。台部４の頭側端部には上方に向けてヘッドボード５を突設してあり、ヘッドボード５の上部は台部４に載置したマットレス３よりも上方に突出している。
【００１４】
ベッド１は静電霧化装置６を備えている。静電霧化装置６は水等の液体を静電霧化することで粒径がナノメータサイズ（３〜数十ｎｍ程度）で強い電荷を持つイオンミスト（帯電微粒子液）を放出するものであり、以下、静電霧化装置６の一例、他例、更に他例を列挙する。
【００１５】
図２に静電霧化装置６の一例を示す。この静電霧化装置６は、放電電極７と、放電電極７に対向する対向電極８と、放電電極７の放電部７ａに液体を供給する液体供給手段９と、放電電極７及び対向電極８間に高電圧を印加する電圧印加部１０を備えている。
【００１６】
液体供給手段９は静電霧化されることとなる液体を貯留するためのタンクからなる液溜部１１を備えている。放電電極７は多孔質セラミック等の多孔質材や細孔を有する部材からなる先端が尖った棒状をしており、液溜部１１内の液体に接触させた後端部から毛細管現象により液体を吸い上げて放電部７ａとなる先端部に液体を搬送すると共に内部に液体を保持するものである。つまり図２に示す静電霧化装置６においては、液溜部１１と放電電極７とで液体供給手段９を構成している。また対向電極８は環状のカーボンのような導電材を混入した合成樹脂やステンレスのような金属からなる。
【００１７】
上記放電電極７内に液体が保持された状態で、電圧印加部１０により放電電極７及び対向電極８間に高電圧を印加すると、放電電極７の放電部７ａと対向電極８との間で電界が形成されると共に放電電極７の先端に電界が集中し、放電電極７の先端の電荷が高密度となり、電荷の反発力で放電電極７の放電部７ａの表面に保持された液体が弾けて分裂・飛散（レーリー分裂）を繰り返して静電霧化が行われる。静電霧化を生じさせると、粒径が３〜数十ｎｍ程度のナノメータサイズで強い電荷を持つイオンミストが発生し、該イオンミストは放電電極７の先端側に位置する対向電極８の中央の孔から外部に放出される。ここで生成されるイオンミストは反応性に富む活性種（ヒドロキシラジカル、スーパーオキサイド等の脱臭・除菌の源となる物質）を有し、この活性種の働きで臭気成分を除去でき、またウイルス、アレルゲン、カビや一般生菌等を不活化でき、また粒子径がナノメータサイズと非常に小さいため拡散しやすく、また浸透もしやすいものである。
【００１８】
図３に静電霧化装置６の他例を示す。この静電霧化装置６はタンクからなる液溜部１１を放電電極７から離れた位置に配設している。放電電極７は細筒状をしていて一端側の後端部は開口し、他端側の先端部には小孔（図示せず）を設けている。液溜部１１内には可撓性を有するホースからなる液体搬送部１２の一端部を挿入してあり、該液体搬送部１２の他端部は放電電極７の後端の開口から放電電極７内に挿入してある。これにより液溜部１１内に貯留した液体は液体搬送部１２及び放電電極７先端の小孔を介して放電電極７の先端部の表面側に供給される。つまり液溜部１１、液体搬送部１２、放電電極７で液体供給手段９を構成している。また環状の対向電極８は放電電極７を保持するハウジング１３によって保持してある。上記放電電極７の放電部７ａとなる先端部の表面に液体を保持した状態で、電圧印加部１０により放電電極７及び対向電極８間に高電圧を印加すると、放電電極７の放電部７ａにおいては上記図２に示す静電霧化装置６と同様の静電霧化が生じる。
【００１９】
図４に示す静電霧化装置６は、液体供給手段９として放電電極７を冷却する冷却手段１４を備え、冷却手段１４により放電電極７の表面に空気中の水分を結露させて、放電電極７の放電部７ａに静電霧化に利用される結露水を供給できるようになっている。
【００２０】
冷却手段１４は放電電極７及び対向電極８を備えた霧化ブロック１５と一体に設けたペルチェユニット１４ａで構成してある。ペルチェユニット１４ａは、熱伝導性の高いアルミナや窒化アルミニウムからなる絶縁板１６の片面側に回路１７を形成してある一対のペルチェ回路板１８ａ、１８ｂを、互いの回路１７側が向かい合うように対向させ、多数列設してあるＢｉＴｅ系の熱電素子１９を両ペルチェ回路板１８ａ、１８ｂ間で挟持すると共に隣接する熱電素子１９同士を両側の回路１７で電気的に接続してペルチェモジュール２１を構成し、ペルチェ冷却制御回路からペルチェ入力線２０を介して為される熱電素子１９への通電により一方のペルチェ回路板１８ａ側から他方のペルチェ回路板１８ｂ側に向けて熱が移動するように設けたものであり、ペルチェモジュール２１の一方の側が冷却側、他方の側が放熱側となる。
【００２１】
ペルチェモジュール２１の冷却側のペルチェ回路板１８ａの外側にはセラッミック、アルミナや窒化アルミニウム等からなり、高熱伝導性及び電気的絶縁性の高い冷却用絶縁板３０からなる冷却部を接続し、また放熱側のペルチェ回路板１８ｂの外側にはアルミニウム等の金属からなる高熱伝導性の放熱板３１からなる放熱部を接続している。冷却用絶縁板３０のペルチェモジュール２１と反対側の面には放電電極７を立設してあり、このように冷却用絶縁板３０に接続された放電電極７はペルチェモジュール２１の冷却側のペルチェ回路板１８ａに熱的に接続される。これにより前述のペルチェ冷却制御回路により熱電素子１９に通電を行うことで、ペルチェ回路板１８ａを介して放電電極７が冷却され、放電電極７の表面に静電霧化に利用される結露水が発生する。
【００２２】
上記放電電極７は胴や胴合金等の熱伝導性の良い材料により主部を棒状に形成してあり、先端部は球状や先端が尖った錘状の部分となっておりその最先端が放電部７ａとなる。対向電極８はペルチェモジュール２１を覆う樹脂製のハウジング１３により保持してある。またハウジング１３はペルチェユニット１４ａの放熱部に螺子のような固着具で固着してあり、このように一体化された放電電極７、対向電極８、ペルチェユニット１４ａ、ハウジング１３により霧化ブロック１５を構成している。上記ペルチェユニット１４ａにより結露水を生成して、放電電極７の放電部７ａの表面に液体を保持した状態で、電圧印加部１０により放電電極７及び対向電極８間に高電圧を印加すると、図２に示す静電霧化装置６と同様の静電霧化が生じる。
【００２３】
上記に示す静電霧化装置６は霧化部となる放電電極７の放電部７ａを含めてベッド１のヘッドボード５に内装してある。図１に示す例では該静電霧化装置６の放電電極７で生成されたイオンミストを放出するためのミスト放出口２２をヘッドボード５の脚側の面（台部４側の面）に設けている。ミスト放出口２２は後述の図１５（ａ）に示すように放電電極７の先端側で対向電極８の孔８ａに対向する位置に設けてあり、放電電極７及び対向電極８に高電圧を印加して静電霧化を生じさせると、対向電極８の中央の孔８ａから放出されたイオンミストがミスト放出口２２を通過してベッド１の頭側の部位上に放出される。
【００２４】
このように本例のベッド１は、静電霧化装置６をベッド１の頭側の端部に配設してあるので、ベッド１の頭側端部の近傍にイオンミストを送り、このイオンミストをベッド１の頭側に置かれた枕等の寝具に直接当てることができる。従って、就寝者の頭部が配置されるベッド１の頭側部分の脱臭及び除菌を効率良く行い、就寝者にとって快適な環境とすることができる。
【００２５】
以下、実施形態の他例を列挙する。なお以下では先例と同様の構成については同符号を付して説明を省略し、異なる点につき説明をする。
【００２６】
図５に他例のベッド１を示す。上述の図１の例ではベッド１の頭側端部から脚側に向けてイオンミストを放出するようにしたが、本例ではミスト放出口２２をヘッドボード５の上端面に設け、静電霧化装置６で生じさせたイオンミストをベッド１の頭側端部の上方に向けて放出するようにしている。本例ではイオンミストをベッド１の上方に向けて放出できるので、ベッド１上の空間の脱臭・除菌を効率良く行うことができる。
【００２７】
図６に更に他例のベッド１を示す。本例ではベッド１上の人の有無を検知する人体検知手段２３として、ヘッドボード５に赤外線センサ２３ａを設けている。また図示は省略するが、ベッド１は赤外線センサ２３ａの検知結果に基づいて静電霧化装置６の動作を制御する制御手段を備えている。本例の制御手段は、図８に示すように、赤外線センサ２３ａによりヘッドボード５の脚側のベッド１上から人が居なくなったことを検知した場合に、静電霧化装置６によるイオンミストの噴霧を自動的に開始し、次にベッド１上に人が居る状態を検知した場合に該イオンミストの噴霧を自動的に停止する。これによりベッド１上に人が居ない時にのみイオンミストを噴霧でき、ベッド１上の人にイオンミストが遮られることがなくて効率良く脱臭・除菌できる。
【００２８】
図７に更に他例のベッド１を示す。本例では人体検知手段２３としてマットレス３に圧力センサ２３ｂを設けてあり、マットレス３上の人の圧力を検知してベッド１上の人の有無を検知するものである。なおその他の構成は図６に示す例と同じであるため説明は省略する。
【００２９】
また上記図６及び図７に示す例では、図８に示す制御に替えて、制御手段により、人体検知手段２３でベッド１上から人が居なくなったことを検知した場合に静電霧化装置６によるイオンミストの噴霧を開始し、該噴霧の開始から所定時間後にイオンミストの噴霧を自動的に停止するようにしても良い。このような制御を行うことで、静電霧化装置６で発生させたイオンミストにより就寝直後の臭いや菌の付いたベッド１を効率良く脱臭・除菌できる。
【００３０】
図９に更に他例のベッド１を示す。本例のベッド１には、液溜部１１から放電電極７に供給された液体を静電霧化できる図２又は図３に示すような静電霧化装置６を設けている。ヘッドボード５には静電霧化装置６の液溜部１１に連通する剤供給口２５を設けてあり、この剤供給口２５から例えば芳香剤や睡眠改善薬等の鎮静作用を有する剤を液溜部１１に供給できる。これにより、静電霧化装置６の運転時においては、液体供給手段９により、鎮静作用を有する液体を液溜部１１から放電電極７に供給して放電部７ａで霧化できる。即ち静電霧化装置６の液体供給手段９により放電電極７に鎮静作用を有する液体を供給するための鎮静用液体供給手段を構成している。従って本例では静電霧化装置６により鎮静作用を有する液体を基に鎮静作用を有するイオンミストを生成し、これをベッド１上に噴霧できてベッド１上の人が快眠できる。
【００３１】
また本例のベッド１にはベッド１上の人の心拍を検知するための心拍検知手段としてマットレス３に心拍センサ２６ａを設けている。ベッド１は前記心拍センサ２６ａで検知した心拍に基づいて静電霧化装置６の動作を制御する制御手段を備えている。図１０に示すように、制御手段は、心拍センサ２６ａにより検知した心拍数が所定値以上の場合にはベッド１上の人が興奮状態にあると判断して静電霧化装置６を運転し、また心拍数が前記所定値未満の場合にはベッド１上の人が鎮静状態にあると判断して静電霧化装置６を停止する。これによりベッド１上の人が寝付きにくい興奮状態にある時にのみ、静電霧化装置６で鎮静作用を有する液体からなるイオンミストをベッド１上に噴霧でき、効率が良い。なお、剤供給口２５から液溜部１１に供給される鎮静作用を有する剤は、放電電極７に供給される時に液体の状態となるものであれば良く、液体であっても良いし、固体であっても良い。また本例では図５の例と同様にミスト放出口２２をヘッドボード５の上端面に設けたが、図１の例と同様にヘッドボード５の脚側の面に設けても良い。
【００３２】
図１１に更に他例を示す。本例のベッド１には、図９と同様、液溜部１１から放電電極７に供給された液体を静電霧化する図２又は図３に示す静電霧化装置６を設けている。ヘッドボード５には静電霧化装置６の液溜部１１に連通する剤供給口２５を設けてあり、この剤供給口２５から、例えばハッカ、ミント、レモン等の芳香剤からなり覚醒作用を有する剤を液溜部１１に供給できる。これにより、静電霧化装置６の運転時においては、液体供給手段９により、覚醒作用を有する液体を液溜部１１から放電電極７に供給して放電部７ａで霧化できる。即ち本例では静電霧化装置６の液体供給手段９により放電電極７に覚醒作用を有する液体を供給するための覚醒用液体供給手段を構成している。従って本例では静電霧化装置６により覚醒作用を有する液体を基に覚醒作用を有するイオンミストを生成し、これをベッド１上に噴霧できてベッド１に居る人を覚醒させることができる。
【００３３】
図１２に示すように本例の静電霧化装置６によるイオンミストの噴霧は、制御手段により、予め設定された所定時刻に開始され、またこの噴霧の開始から所定時間後に停止される。なお前記イオンミストの噴霧開始時刻となる所定時刻は使用者により変更可能なものとする。このように本例では、予め設定された所定時刻に静電霧化装置６によるイオンミストの噴霧を開始して、覚醒作用を有する液体を基に生成されたイオンミストを噴霧することができるので、例えば図１２のように、起床予定時刻の前にイオンミストの噴霧を開始し、起床予定時刻の後にイオンミストの噴霧を停止すること可能となり、利用者はすっきりと目覚めることができる。
【００３４】
なお、剤供給口２５から液溜部１１に供給される覚醒作用を有する剤は、放電電極７に供給される時に液体の状態となるものであれば良く、剤供給口２５から液溜部１１に供給する際には液体であっても良いし、固体であっても良い。また本例では図５の例と同様にミスト放出口２２をヘッドボード５の上端面に設けたが、図１の例と同様にヘッドボード５の脚側の面に設けても良い。
【００３５】
図１３に更に他例を示す。本例のベッド１は静電霧化装置６で生じたイオンミストをベッド１の脚側とこれよりも上向きの二方向に向けて噴霧可能としている。図示例では、ヘッドボード５に二個の静電霧化装置６を設け、一方の静電霧化装置６用のミスト放出口２２を図１の例と同様にヘッドボード５の脚側の面に設けると共に、他方の静電霧化装置６用のミスト放出口２２を図５に示す例と同様にヘッドボード５の上端面に設けてあり、一方の静電霧化装置６で生成されたイオンミストはヘッドボード５から上方に向けて噴霧され、他方の静電霧化装置６で生成されたイオンミストはヘッドボード５からベッド１の脚側に向けて噴霧される。
【００３６】
このように本例のベッド１は静電霧化装置６で生じたイオンミストをベッド１の頭側端部の上方空間とベッド１の脚側の二方向に噴霧できるので、例えば前述の人体検知センサを用いて、制御手段により、ベッド１上に人が居る時には一方の静電霧化装置６で生成したイオンミストをベッド１の頭側端部の上方空間に噴霧して脱臭・除菌を行い、ベッド１上に人が居ない時には他方の静電霧化装置６で生成したイオンミストをベッド１上に噴霧して脱臭・除菌を行うことが可能となり、効率良く脱臭・除菌を行える。また本例では両方の静電霧化装置６を同時に運転し、脱臭効果及び除菌効果を高めることもできる。
【００３７】
図１４に更に他例を示す。本例のベッド１も静電霧化装置６で生じたイオンミストをベッド１の脚側とこれよりも上向きの二方向に向けて噴霧可能としている。図示例では、図１の例と同様にヘッドボード５に１個の静電霧化装置６を設けると共に該静電霧化装置６のミスト放出口２２をヘッドボード５の脚側の面に設けている。ミスト放出口２２にはルーバ２７を回動自在に設けてあり、ルーバ２７の回動角度を変更してイオンミストの噴霧方向を上下方向に変更可能としている。
【００３８】
従って本例では、例えば前述の人体検知センサ等を用いて、制御手段により、ベッド１上に人が居る時にはルーバ２７の向きを斜め上向きとして、イオンミストをベッド１の上方空間に噴霧して脱臭・除菌を行い、またベッド１上に人が居ない時にはルーバ２７の向きを水平として、イオンミストをベッド１上に噴霧して脱臭・除菌を行うことが可能となり、効率良く脱臭・除菌を行える。また本例では、一個の静電霧化装置６で生じたイオンミストをベッド１の頭側端部の上方空間とベッド１の脚側の２方向に噴霧でき、コストを削減できる。
【００３９】
なお上記各例の静電霧化装置６は対向電極８を設けなくても放電電極７に高電圧を印加するだけで静電霧化を生じさせることが可能であるため、対向電極８は省略しても良いものとする。
【図面の簡単な説明】
【００４０】
【図１】本発明の実施形態の一例のベッドを示す斜視図である。
【図２】静電霧化装置の一例を示す説明図である。
【図３】静電霧化装置の他例を示す説明図である。
【図４】静電霧化装置の更に他例を示す説明図である。
【図５】他例のベッドを示す斜視図である。
【図６】更に他例のベッドを示す斜視図である。
【図７】更に他例のベッドを示す斜視図である。
【図８】図６及び図７の例における制御の一例を示すタイムチャートである。
【図９】更に他例のベッドを示す斜視図である。
【図１０】同上の制御を示すタイムチャートである。
【図１１】更に他例のベッドを示す斜視図である。
【図１２】同上の制御を示すタイムチャートである。
【図１３】更に他例のベッドを示す斜視図である。
【図１４】更に他例のベッドを示す斜視図である。
【図１５】同上のヘッドボードの静電霧化装置近傍の断面を模式的に示した説明図であり、（ａ）はイオンミストの噴霧方向を水平とした状態を示し、（ｂ）はイオンミストの噴霧方向を上向きとした状態を示す。
【符号の説明】
【００４１】
１  ベッド
６  静電霧化装置
７  放電電極
２３  人体検知手段
２６  心拍検知手段
【図１】
2008237606.tif 000003
【図２】
2008237606.tif 000004
【図３】
2008237606.tif 000005
【図４】
2008237606.tif 000006
【図５】
2008237606.tif 000007
【図６】
2008237606.tif 000008
【図７】
2008237606.tif 000009
【図８】
2008237606.tif 000010
【図９】
2008237606.tif 000011
【図１０】
2008237606.tif 000012
【図１１】
2008237606.tif 000013
【図１２】
2008237606.tif 000014
【図１３】
2008237606.tif 000015
【図１４】
2008237606.tif 000016
【図１５】
2008237606.tif 000017